(57)【要約】【課題】間伐材や松くい虫被害木等を原料として、野外でのキャンプや災害時の調理や暖房、照明に丸太七輪１使用し、この発明によりアカマツ（被害木含む）の利用価値を創出することを目的とする。【解決手段】丸太七輪１は、丸太２の上部を凹状に形成して設けられる凹部３と、該凹部よりも下側の丸太側面に通気口４と凹部３が連通するように貫通された空気孔５とを備え、空気孔５は、通気口４から凹部３に向かって斜め上方向に形状されている。【選択図】図２
2018115846.tif 000002
【特許請求の範囲】
【請求項１】
野外での調理や暖房、照明に使用する丸太七輪において、丸太上部を凹状に形成して設けられる凹部と、該凹部よりも下側の丸太側面から前記凹部が連通するように貫通された空気孔とを備えることを特徴とする丸太七輪。
【請求項２】
前記空気孔は、前記側面から前記凹部に向かって斜め上方向へ貫通するように形状されていることを特徴とする請求項１記載の丸太七輪。
【請求項３】
前記空気孔は、チェーンソーの先端を前記丸太側面から前記凹部へ向かって斜めに切り込むことで形成されていることを特徴とする請求項１又は２記載の丸太七輪。
【請求項４】
複数の前記空気孔が、丸太の円周等分位置に配設されていることを特徴とする請求項１〜３のいずれかに記載の丸太七輪。
【請求項５】
前記凹部は半球形状に設けられていることを特徴とする請求項１〜４のいずれかに記載の丸太七輪。
【発明の詳細な説明】
【技術分野】
【０００１】  本発明は、野外でのキャンプや災害時の調理や暖房、照明に使用する丸太七輪に関するものである。
【背景技術】
【０００２】  全国各地の山林保全を目的として森林資源の間伐や間伐材利用が求められている。ところが、それら全部が利用されることはなく、カットされた残りの原木の未利用部分は、山林に放置された状態にある。一方で、従来の電気やガスなどは災害時に供給停止するリスクがあり、食料や暖房などの熱源損失に直結し防災上非常に大きな懸念事項となっている。このような課題に対して、木材を災害時、熱源確保のための備蓄用品として丸太コンロが注目されている。これまで、丸太を外筒部材と芯部材とに分け、芯部材に複数の鉛直方向の貫通孔を設けた木製コンロ（下記特許文献１参照）が開発されてきた。
【先行技術文献】
【特許文献】
【０００３】
【特許文献１】特開２００７−４０６３３号公報
【発明の概要】
【発明が解決しようとする課題】
【０００４】  本発明と類似している既存の技術（上記特許文献１）は、芯部材をホールソーなどで抜き取る工程が必要であり、加工場への運搬や別途電動ノコギリやドリル等の準備が求められる。しかし、本発明は、伐採作業で使用されるチェーンソーひとつで作製が可能で、現場で製造（玉切り）した材をその場で加工するため、余分な運搬工程が不要である。【０００５】  本発明は間伐材等を原料としているが、特に松くい虫被害木をそれとした場合、水分率が若干低い上に松ヤニも十分含まれているため、火力も強く、熱源としての役割を十分発揮する。マツの松くい虫被害は日本各地で確認され、適宜対処が施されているものの、除伐後の利用が確立されていない。本発明により、松くい虫被害木の利用が促進され、日本の里山の３０％を占めるアカマツ林の再生に少なからず貢献する。【０００６】  本発明は、上記した従来の課題に十分応えられるものであり、間伐材や枯損木等を原料に使用し、地震等の災害発生時に着火時に必要となる少量の燃料で利用できる。丸太七輪本体に着火すれば、その後は自燃し続ける。
【課題を解決するための手段】
【０００７】  上記課題を解決するために、本発明に係る丸太七輪は、野外での調理や暖房、照明に使用する丸太七輪において、丸太上部を凹状に形成して設けられる凹部と、該凹部よりも下側の丸太側面から前記凹部が連通するように貫通された空気孔とで構成される。
また、本発明に係る丸太七輪の一形態によれば、前記空気孔は、前記側面から前記凹部に向かって斜め上方向へ貫通するように形状されていることを特徴とすることができる。
また、本発明に係る丸太七輪の一形態によれば、前記空気孔は、チェーンソーの先端を前記丸太側面から前記凹部へ向かって斜めに切り込むことで形成されていることを特徴とすることができる。
また、本発明に係る丸太七輪の一形態によれば、複数の前記空気孔が、丸太の円周等分位置に配設されていることを特徴とすることができる。
また、本発明に係る丸太七輪の一形態によれば、前記凹部は半球形状に設けられていることを特徴とすることができる。
【発明の効果】
【０００８】  本発明は、従来の木製コンロ（上記特許文献１）のような鉛直方向ではなく、斜め上方向に向かう空気孔を形成しており、空気が下部から流れ込んできて、燃焼を補助する効果が発生する。【０００９】  上部がくぼんでいるため、着火剤や炭等を配置することができ、上記の効果から燃焼が促進される。【００１０】  空気孔を複数（例えば４方向）設けることにより、風向きを気にせずに設置できるため、災害時やレジャーで利用する際は、基本的には動かす必要はない。また、空気孔を塞ぐことによって火力を調節することも可能である。【００１１】  使用後の消火の際、丸太を上下反対に置き、丸太全体ならびに空気孔に水を掛けることで容易に鎮火させることができる。レジャー等で炭を使用した後、水を掛けて鎮火させることが多いが、その際、通常多量の灰が舞うことがある。既存の木製コンロにおいても上部と下部が貫通しているため掛水による消火の際は大気中に多量の灰が舞ってしまう。しかし、本発明は、上下反対に設置することで空気孔のみが大気に接するため、消火時に舞う灰の量が既存の七輪やレジャー用コンロなどよりも少ない。
【図面の簡単な説明】
【００１２】
【図１】本発明の一実施形態に係る丸太七輪の斜視図
【図２】本発明の一実施形態に係る丸太七輪の斜視図（図１の内部可視化）
【図３】本発明の一実施形態に係る丸太七輪の平面図（図１の平面図）
【図４】本発明の一実施形態に係る丸太七輪の平面図（図３の内部可視化）
【図５】本発明の一実施形態に係る丸太七輪の斜視図（図１に対して通気口の角度が異なる）
【図６】本発明の一実施形態に係る丸太七輪の斜視図（図５の内部可視化）
【図７】本発明の一実施形態に係る丸太七輪の平面図（図５の平面図）
【図８】本発明の一実施形態に係る丸太七輪の平面図（図７の内部可視化）
【符号の説明】
【００１３】１  丸太七輪
２  丸太
３  上部凹部
４  側面下部の通気口
５  空気孔
６  上部凹部の通気口
【発明を実施するための形態】
【００１４】  本発明の最良の実施形態を図面に基づいて説明する。なお、以下に述べる実施形態は本発明を具体化した一例に過ぎず、本発明の技術的範囲を限定するものではない。ここに、図１は本発明の一実施形態に係る丸太七輪の斜視図、図２は図１の内部を可視化した図、図３は本発明の一実施形態に係る丸太七輪の平面図、図４は図３の内部を可視化した図である。図５〜８は図１〜４の通気口４の形状を鉛直縦方向のした図である。
【００１５】  各図において、この実施形態に係る丸太七輪１は、例えばアカマツの丸太２を使用して製作され、使用するアカマツの丸太２は、外径が２０センチ以上３０センチ以下、好ましくは２０センチ程度であり、高さが３０センチ以上５０センチ以下、好ましくは３０センチ以上４０センチ以下のものが望ましい。外径、高さともに大きくなるとその分重量が大きくなり運搬が困難となってしまう。
【００１６】  上部の凹部３は、着火場所となるため、ある程度の深さが必要で、５ｃｍ程度の深さが望ましい。浅すぎると着火時に上部からの風に煽られやすく、深すぎると着火後の燃焼時間（火持ち時間）が短くなってしまう。
【００１７】  側面下部からの通気口４の位置は、地面から５センチ程度の高さが望ましい。通気口４の位置が高いと燃焼時間が短くなり、逆に低すぎると土埃が入りやすくなるためである。さらに、空気孔５が形成されるように通気口４から凹部３に向かって斜め上方向に連通させ、通気口６を形成する。風は常に流動的（東西南北ランダム）に吹くため、空気孔は４カ所（円周等分位置に）設置するのが望ましい。
【００１８】  また、凹部３ならびに空気孔５はチェーンソーの先端を利用し、凹部３は半球形状に削り彫り、空気孔は通気口４から凹部３へ向かって斜めに切り込むことが望ましい。
【００１９】  また、図５〜８のように通気口４が地面に対して鉛直縦方向の形状でも本発明の効果を発揮する。
【図１】
2018115846.tif 000003
【図２】
2018115846.tif 000004
【図３】
2018115846.tif 000005
【図４】
2018115846.tif 000006
【図５】
2018115846.tif 000007
【図６】
2018115846.tif 000008
【図７】
2018115846.tif 000009
【図８】
2018115846.tif 000010